【事件の表示】
　特願２０１７−１８６８号「加熱調理器」拒絶査定不服審判事件〔平成２９年６月１日出願公開、特開２０１７−９６６２２号、請求項の数（２）〕について、次のとおり審決する。
【結　論】
　原査定を取り消す。
　本願の発明は、特許すべきものとする。
【理　由】
第１　手続の経緯
　本願は、平成２２年５月１１日に出願した特願２０１０−１０９１７１号の一部を、平成２６年１０月１日に新たな特許出願とした特願２０１４−２０３０２６号の一部を、平成２７年１２月１８日に新たな特許出願とした特願２０１５−２４６９９５号の一部を、さらに平成２９年１月１０日に新たな特許出願としたものであって、平成２９年９月１５日付けで拒絶理由が通知され、平成２９年１１月１７日に意見書及び手続補正書が提出され、平成２９年１１月３０日付けで拒絶査定（以下、「原査定」という。）がされ、これに対して、平成３０年３月１日に拒絶査定不服審判が請求され、その審判の請求と同時に手続補正書が提出され、平成３０年１１月２日付けで拒絶理由（以下、「当審拒絶理由」という。）が通知され、平成３０年１２月１４日に意見書及び手続補正書が提出されたものである。
第２　原査定の概要
　原査定の概要は、次のとおりである。
　本願の請求項１，２に係る発明は、下記の引用文献Ａ〜Ｄに記載された発明に基づいて、その発明の属する技術の分野における通常の知識を有する者（以下、「当業者」という。）が容易に発明をすることができたものであるから、特許法第２９条第２項の規定により特許を受けることができない。
引用文献等一覧：
Ａ．特開２００３−２１４６２６号公報
Ｂ．特開昭６０−１００２６０号公報
Ｃ．特開２００２−６３１７８号公報
Ｄ．特開２００３−６５２０号公報
第３　当審拒絶理由
　当審拒絶理由の概要は、次のとおりである。
１．本願の請求項１の「カロリーを選ぶ画像」が何を意味するのか不明確であり、本願の請求項１，２に係る発明は明確ではないから、本願は、特許請求の範囲の記載が特許法第３６条第６項第２号に規定する要件を満たしていない。
２．（１）本願は、分割要件を満たしていない。そして、本願の請求項１，２に係る発明は、下記の引用文献１，２に記載された発明に基づいて、当業者が容易に発明をすることができたものであるから、特許法第２９条第２項の規定により特許を受けることができない。また、（２）本願の請求項１，２に係る発明は、下記の引用文献３，４，２に記載された発明に基づいて、当業者が容易に発明をすることができたものであるから、特許法第２９条第２項の規定により特許を受けることができない。
引用文献等一覧：
１．特開２０１１−２３７１２６号公報
２．特開２００９−２６０５号公報
３．特開２００３−１２０９３８号公報
４．特開２００２−６３１７８号公報（拒絶査定時の引用文献Ｃ）
第４　本願発明
　本願請求項１，２に係る発明（以下、それぞれ「本願発明１」、「本願発明２」といい、両者をまとめて「本願発明」という。）は、平成３０年１２月１４日に提出された手続補正書の請求項１，２に記載された事項により特定される発明であり、本願発明１，２は以下のとおりの発明である。
【請求項１】
　ケーシングと、
　上記ケーシング内に設けられ、被加熱物を収容する加熱室と、
　上記被加熱物を加熱調理するための調理メニューを表示する表示部と、
　上記調理メニューを選択するためにユーザが操作する操作部と、
　上記被加熱物を加熱するための加熱部と、
　上記加熱部を上記調理メニューに基づいて制御する制御装置と、を備え、
　上記表示部は、複数の調理メニューからユーザが所望する調理メニューを検索するための複数の検索条件選択画面を順次表示し、
　上記検索条件選択画面の一つは、料理のカロリー数を選択するための選択肢を有し、
　上記選択肢は、カロリー数の範囲を含み、かつ、上記カロリー数の範囲が２つ以上の複数段階に分かれており、
　上記表示部は、上記複数の検索条件選択画面で選択された検索条件に合致する調理メニューを表示し、
　上記制御装置は、上記検索条件に合致する調理メニューからユーザが選択した調理メニューの調理を開始する直前の状態とすることを特徴とする加熱調理器。
【請求項２】
　上記操作部は、上記表示部に重なるタッチパネルであることを特徴とする請求項１に記載の加熱調理器。
第５　引用文献の記載
１．引用文献１について
　当審拒絶理由で引用された引用文献１（特開２０１１−２３７１２６号公報）には、図面と共に次の事項が記載されている。
　
（１）「【請求項１】
　ケーシングと、
　上記ケーシング内に設けられ、被加熱物を収容する加熱室と、
　上記被加熱物を加熱するためにユーザが操作する操作部と、
　上記被加熱物の調理に関する情報を表示する表示部と、
　上記表示部の表示を制御する制御装置と
を備え、
　上記制御装置は、
　調理カテゴリの複数の第１選択肢と、この第１選択肢と密接な関係がある複数の第２選択肢とを、同時かつ選択可能に上記表示部に表示させる選択肢表示制御部と、
　上記複数の第１選択肢のうちの少なくとも１つが選択状態になり、かつ、上記複数の第２選択肢のうちの少なくとも１つが選択状態になったときに、この選択状態の第１，第２選択肢の両方に対応する料理の情報を上記表示部に表示させる料理情報表示制御部と、
　上記表示部が上記料理の情報を表示しているときに、ユーザの上記操作部への操作に応じて、上記料理の情報を、上記選択された第１，第２選択肢の両方に対応する他の料理の情報に変更する料理情報変更制御部と
を有することを特徴とする加熱調理器。」（【請求項１】）
（２）「 図２は上記加熱調理器の概略構成図である。
　上記加熱調理器は、ケーシング１と、ケーシング１内に設けられた加熱室２と、水蒸気を発生させる水蒸気発生装置３と、水蒸気発生装置３からの水蒸気を加熱して過熱水蒸気にする水蒸気加熱ヒータ４と、水蒸気発生装置３や水蒸気加熱ヒータ４等の動作を制御する制御装置５とを備えている。ここで、上記過熱水蒸気とは、１００℃を越える過熱状態にまで加熱された水蒸気を意味する。なお、水蒸気加熱ヒータ４は過熱水蒸気発生部の一例である。」（段落【００４２】〜【００４３】）
（３）「上記カラー液晶表示部３６は、カラー液晶パネル９５上にタッチパネル９６を重ねて構成される。このカラー液晶パネル９５は、文字、数字、写真等をカラー表示できるものであり、加熱の種類、料理名、加熱時間、温度、料理の写真等を表示する。また、タッチパネル９６は、ユーザがタッチすると表面電荷を変化させる透明素材からなる静電容量方式のタッチパネルである。これにより、ユーザはタッチパネル９６をタッチして、カラー液晶パネル９５に表示される画像を選択できるようになっている。また、ユーザがタッチパネル９６をタッチして、カラー液晶パネル９５に表示される選択可能な画像を選択すると、その画像の色が変わるようになっている。つまり、カラー液晶パネル９５に表示される画像は、選択状態の色が非選択状態の色と異なるようになっている。なお、タッチパネル９６は、例えば、抵抗膜方式、表面弾性波方式、赤外線方式または電磁誘導方式のタッチパネルに換えてもよい。また、カラー液晶パネル９５は表示部の一例であり、タッチパネル９６は操作部の一例である。
　図５は上記カラー液晶パネル９５の初期画面を示す図である。この初期画面は、加熱調理器の電源プラグ（図示せず）をコンセントに差し込んだ後、カラー液晶パネル９５が最初に表示する画面である。　上記カラー液晶パネル９５の初期画面には画像Ｇ１〜Ｇ８が表示される。画像Ｇ１は、冷えた料理等を温めるときに選択すべき画像であり、エビフライの絵と、「あたためる」の文字とを含んでいる。画像Ｇ２は、蒸し物や煮物を作るときに選択すべき画像であり、鍋および蒸籠の絵と、「蒸す・煮る」の文字とを含んでいる。画像Ｇ３は、料理集内の３００種類以上の料理から希望の料理を探すときに選択すべき画像であり、本の絵と、「お料理集から選ぶ」の文字とを含んでいる。画像Ｇ４は牛乳や酒を適温に温めるときに選択すべき画像であり、コップおよび徳利の絵と、「牛乳」および「酒のかん」の文字を含んでいる。画像Ｇ５は、焼き物およびフライ物を作るときに選択すべき画像であり、ローストチキンの絵と、「焼く・フライ」の文字とを含んでいる。画像Ｇ６は、健康サポートメニューを使いたいときに選択すべき画像であり、元気な人をイメージさせる絵と、「健康サポートメニュー」の文字とを含んでいる。画像Ｇ７は、よく作るメニュー中の料理を作るときに選択すべき画像であり、押しピンの絵と、「よく作るメニュー」の文字とを含んでいる。画像Ｇ８は、冷凍食材等を解凍するときに選択すべき画像であり、雪の結晶の絵と、「解凍する」の文字とを含んでいる。このような構成の初期画面が表示されているときに、ユーザが、画像Ｇ３に重なるタッチパネル９６の一部にタッチすると、カラー液晶パネル９５の画面は初期画面から料理集選択画面に切り換わる。つまり、ユーザの画像Ｇ３の選択により、カラー液晶パネル９５が料理集選択画面を表示する。」（段落【００６２】〜【００６４】）
（４）「図７は、図６の画像Ｇ１３に重なるタッチパネル９６の一部へのタッチに応じて表示されるカラー液晶パネル９５の画面を示す図である。
　上記画面の上部には、本の絵と、「お料理集」および「材料別」の文字とが表示されている。これにより、ユーザは、図６の料理集選択画面において画像Ｇ１３を選択したことを確認できるようになっている。
　また、図７の画面には画像Ｇ２１〜Ｇ２７も表示される。ユーザは、画像Ｇ２１を選択することによって、豚肉または牛肉を使う料理を見ることができ、画像Ｇ２２を選択することによって、魚類や貝類を使う料理を見ることができ、画像Ｇ２３を選択することによって、卵または豆腐を使う料理を見ることができ、画像Ｇ２４を選択することによって、鶏肉を使う料理を見ることができ、画像Ｇ２６を選択することによって、野菜を使う料理を見ることができるようになっている。また、ユーザが、ダイエットや糖尿病等の事情で料理の検索条件にカロリー数を入れたいなら、「カロリー数と組み合わせて探す」の文字を含む画像Ｇ２７を選択すればよい。つまり、ユーザは、画像Ｇ２７に重なるタッチパネル９６の一部にタッチすることにより、希望の材料およびカロリー数で料理を探せるようになっている。
　図８は、画像Ｇ２７に重なるタッチパネル９６の一部へのタッチに応じて表示されるカラー液晶パネル９５の画面を示す図である。
　上記画面の上部には、本の絵と、「お料理集」および「材料とカロリーで選ぶ」の文字とが表示されている。これにより、ユーザは、図７の画面において画像Ｇ２７を選択をしたことを確認できるようになっている。
　また、図８の画面の中央部には、「材料を選択」の文字と共に、画像Ｇ３１〜Ｇ３６が表示される。この画像Ｇ３１〜Ｇ３６の選択により、図８の画面の次画面に表示される料理の材料を制限できるようになっている。この料理の材料の制限は、画像Ｇ３１〜Ｇ３６が含む文字に対応して行われる。例えば、画像Ｇ３１は、料理の材料を豚肉または牛肉に制限するためのものである。なお、画像Ｇ３１〜Ｇ３６は第１選択肢の一例である。
　また、図８の画面の下部には、「カロリー数を選択」と共に、画像Ｇ４１〜Ｇ４４が表示される。この画像Ｇ４１〜Ｇ４４の選択により、図８の画面の次画面に表示される料理のカロリー数を制限できるようになっている。例えば、ユーザは、図８の画面の次画面に表示される料理のカロリー数を、１９９キロカロリー以下に制限したいなら画像Ｇ４１を選択すればよい。また、図８の画面の次画面に表示される料理のカロリー数は、画像Ｇ４２の選択によって２００キロカロリー〜２９９キロカロリーの範囲内に、画像Ｇ４３の選択によって３００キロカロリー〜３９９キロカロリーの範囲内に、画像Ｇ４４の選択によって４００キロカロリー以上に制限することができる。また、画像Ｇ４１の色は緑色から黄緑に変化するグラデーション、画像Ｇ４２の色は黄緑色から黄色に変化するグラデーション、画像Ｇ４３の色は黄色から橙色に変化するグラデーション、画像Ｇ４４の色には橙色から赤色に変化するグラデーションがかかっている。つまり、画像Ｇ４１の色より赤みが多い色を画像Ｇ４２の色として採用し、画像Ｇ４２の色より赤みが多い色を画像Ｇ４３の色として採用し、画像Ｇ４３の色より赤みが多い色を画像Ｇ４４の色として採用している。これにより、画像Ｇ４１〜画像Ｇ４４の中で、画像Ｇ４１のＲＧＢカラーのＲ値が最も小さくなっている。なお、画像Ｇ４１〜Ｇ４４は第２選択肢の一例である。
　図７の画面から図８の画面に切り換わった直後は、画像Ｇ３１〜Ｇ３６，Ｇ４１〜Ｇ４４のいずれも選択されていない状態である。このため、ユーザが、画像Ｇ３１〜Ｇ３６の中から１つ選択し、かつ、画像Ｇ４１〜Ｇ４４の中から１つ選択しないと、次画面に切り換わらないようになっている。この次画面では、画像Ｇ３１〜Ｇ３６，Ｇ４１〜Ｇ４４の選択の条件を満たす料理の中で最低カロリー数の料理が表示される。
　図９Ａ〜図９Ｃは、図８の画面での選択に応じて表示されるカラー液晶パネル９５の画面を示す図である。
　図８の画面は、例えば、画像Ｇ３４および画像Ｇ４２が選択されると図９Ａの画面に切り換わり、画像Ｇ３５および画像Ｇ４１が選択されると図９Ｂの画面に切り換わり、画像Ｇ３２および画像Ｇ４３が選択されると図９Ｃの画面に切り換わる。図９Ａ〜図９Ｃのそれぞれの画面には、料理のおおよそのカロリー数、料理名、料理の写真が表示されると共に、画像Ｇ５１〜Ｇ５３が表示されている。
　図９Ａ〜図９Ｃの画面において、ユーザが画像Ｇ５１を選択すると、カラー液晶パネル９５の画面に表示されていた料理を加熱する直前の工程に移る。つまり、上記料理の調理が開始される直前の状態となる。」（段落【００６８】〜【００７８】）
（５）「図１０は上記加熱調理器の制御ブロック図である。
　上記制御装置５は、ＣＰＵ（中央処理装置）５０、タイマ５１、記憶部５２、入出力回路等を含んでいる。また、上記制御装置５には、水加熱ヒータ４１と、水蒸気加熱ヒータ４と、給気ダンパ３３と、排気ダンパ２５と、電磁弁４９と、循環ファン１９と、排気希釈ファン３０と、操作パネル３５のカラー液晶表示部３６およびボタン群４５と、マグネトロン５３とが接続されている。
　上記ＣＰＵ５０は、記憶部５２に記憶されている制御プログラムを取り出して実行したり、各種入力機器から入力されるデータに対し、二進加算、論理演算、増減、比較等の演算を行ったりする。
　上記タイマ５１は、年月日、被加熱物の加熱が開始してから経過した時間、被加熱物の加熱が終了してから経過した時間等を計時する。
　上記記憶部５２には、水加熱ヒータ４１、水蒸気加熱ヒータ４、給気ダンパ３３、排気ダンパ２５、電磁弁４９、循環ファン１９、排気希釈ファン３０、カラー液晶表示部３６等を制御するための制御プログラムが記憶されている。また、記憶部５２には、カラー液晶表示部３６のカラー液晶パネル９５に表示させる画像のデータが記憶されている。また、記憶部５２には、ユーザが例えばお気に入りの料理を記憶させることもできる。」（段落【００８３】〜【００８７】）
（６）「
」
　してみれば、上記引用文献１には、次の発明（以下、「引用発明Ａ」という。）が記載されているものと認められる。
「ケーシングと、上記ケーシング内に設けられ、被加熱物を収容する加熱室と、上記被加熱物を加熱するためにユーザが操作する操作部と、上記被加熱物の調理に関する情報を表示する表示部と、水蒸気加熱ヒータ等を制御する制御装置と水蒸気発生装置を備え、カラー液晶パネルは、「材料別」に選択するための第１の画面と「材料とカロリーで選ぶ」ための第２の画面を順次表示し、第２の画面は、材料を選択するための画像Ｇ３１〜Ｇ３６からなる第１選択肢とカロリー数を選択するための画像Ｇ４１〜Ｇ４４からなる第２選択肢を有し、カラー液晶画面は、第１の画面と第２の画面で選択された料理を表示し、当該料理の調理が開始される直前の状態となる加熱調理器。」
２．引用文献２について
　当審拒絶理由で引用された引用文献２（特開２００９−２６０５号公報）には、図面と共に次の事項が記載されている。
　
（１）「上述した図４（ｅ）または図４（ｆ）に示す状態でスタートキー７１を操作することにより、調理メニューとして「ハンバーグ」が確定する。したがって、ＣＰＵ３１は、所定のプログラムに基づいて「ハンバーグ」の調理を開始する。また、図４（ｇ）または図４（ｈ）に示す状態でスタートキー７１を操作することにより、調理メニューとして「牛肉のパイ包み焼き」が確定する。したがって、ＣＰＵ３１は、所定のプログラムに基づいて「牛肉のパイ包み焼き」の調理を開始する。
」（段落【００４９】）
３．引用文献３について
　当審拒絶理由で引用された引用文献３（特開２００３−１２０９３８号公報）には、図面と共に次の事項が記載されている。
（１）「まず、図２において、オーブンレンジの本体１の前面には、調理室２を開閉する扉３が回動可能に設けられていると共に、この扉３の右横に操作パネル４が設けられている。操作パネル４には、上部に例えば液晶表示器からなる表示器５が設けられていると共に、この表示器５の下方に位置させて押圧操作式の複数の操作キー６ａ〜６ｅと、１個のダイヤルキー７と、カード挿入口８とが設けられている。
　このうち表示器５は、調理レシピに関するデータなどを表示する表示手段を構成する。また、操作キー６ａ〜６ｅ及びダイヤルキー７は、変更条件を入力する条件入力手段を構成する。ダイヤルキー７は、回転操作と押圧操作とが可能な構成となっている。カード挿入口８には、取り外し可能な記憶媒体として、例えばＳＤ（Secure Digital）メモリカードからなるメモリカード９が出し入れ可能に挿入されるようになっている。
　上記本体１の内部には、レンジ調理に使用されるマグネトロン１０（図３参照）や、オーブン調理に使用される調理ヒータ１１（図３参照）などが配設されている。これらマグネトロン１０及び調理ヒータ１１は加熱手段を構成する。図３には、このオーブンレンジの電気的構成がブロック図で示されている。この図３において、制御装置１２は、マイクロコンピュータを主体に構成されたものである。
　この制御装置１２には、上記操作キー６ａ〜６ｅ及びダイヤルキー７の信号、例えばサーミスタからなる第１の温度センサ１３の信号と、例えば赤外線温度センサ（サーモパイル）からなる第２の温度センサ１４の信号が入力されるようになっている。このうち、第１の温度センサ１３は、オーブン調理などの際に、調理室２内の温度を検出するために用いられ、第２の温度センサ１４は、レンジ調理などの際に、食品自体の温度を検出するために用いられる。そして、制御装置１２は、調理レシピに関する標準データを記憶していると共に、それら操作キー６ａ〜６ｅ及びダイヤルキー７の信号、第１及び第２の温度センサ１３，１４の信号、並びに予め備えた制御プログラムに基づき、表示器５を制御すると共に、ヒータ駆動回路１５を介して調理ヒータ１１を、また、マグネトロン駆動回路１６を介してマグネトロン１０を制御し、さらに、カード挿入口８に挿入されたカード９に対してデータの読み出し及び書き込みを行う機能を備えている。この制御装置１２は、本発明のデータ記憶手段とデータ変更手段として機能する。」（段落【００５２】〜【００５５】）
（２）「次に上記構成の作用を説明する。例えば肉じゃがを調理する場合には、使用者は、まず操作キー６ａ〜６ｅ、ダイヤル７を用いて、「肉じゃが」の調理レシピを表示器５に表示させる。図２における表示器５には、「肉じゃが」の調理レシピに関する標準のデータ（「課題を解決するための手段」において、総分量／４人分の調理レシピ参照）の一部が表示されている。この表示器５の表示内容のうち、「肉じゃが」は調理メニュー名、「約４５分」は調理に必要な調理時間、「５００ｋcal ／１人」は１人分の摂取熱量、「４人分」は標準の総分量の設定値を示している。「４人分」の文字の横には、その「４人分」に視覚的に対応する画像として人の顔の絵表示１７が４個並べて表示されていて、その絵表示１７でも４人分であることがわかるようになっている。なお、調理レシピに関するデータのうち、表示器５に一度に表示しきれない部分がある場合において、その表示しきれない部分を見るには、所定の操作キーを操作することで表示されるようになる。なお、操作キー６ａ〜６ｅのうち、表示器５に近い３個の操作キー６ａ〜６ｃは、表示器５の画面下に表示される機能に対応したものとなる。」（段落【００５６】）
（３）「
」
　上記（３）の図３の記載からすれば、制御装置は、ヒータ駆動回路及びマグネトロン制御回路に接続されている。
　してみれば、上記引用文献３には、次の発明（以下、「引用発明Ｂ」という。）が記載されているものと認められる。
「オーブンレンジの本体を有し、本体の内部には、レンジ調理に使用されるマグネトロンや、オーブン調理に使用される調理ヒータなどが配設され、操作キー、ダイヤルを用いて、「肉じゃが」の調理レシピを表示器に表示させ、制御装置は、調理レシピに関する標準データを記憶していると共に、それら操作キー及びダイヤルキーの信号、第１及び第２の温度センサの信号、並びに予め備えた制御プログラムに基づき、表示器５を制御すると共に、ヒータ駆動回路を介して調理ヒータを、また、マグネトロン駆動回路を介してマグネトロンを制御する調理器。」
４．引用文献４について
　当審拒絶理由で引用された引用文献４（特開２００２−６３１７８号公報）には、図面と共に次の事項が記載されている。
（１）「ユーザ認証が行われた（ユーザが登録ユーザと判別された）場合、ホスト装置２が、その登録ユーザの所有する携帯電話機６に検索条件指定入力用データ（ジャンル指定入力用データ、カロリー指定入力用データ、味指定入力用データ、食材指定入力用データ）を携帯電話機６に送信する。携帯電話機６は、検索条件指定入力用データに基づき検索条件指定入力画面（図８〜図１１に示す画面のいずれか）を表示する（ステップＳ３）。
　そして、検索条件指定入力画面に基づいて、登録ユーザが携帯電話機６を用いて検索条件を指定入力した場合に（ステップＳ４：Ｙｅｓ）、検索条件指定データ（ジャンル指定データ、カロリー領域指定データ、味指定データ、食材指定データ）を携帯電話機６がホスト装置２に送信する（ステップＳ５）。ホスト装置２は、検索条件指定データに基づき、検索処理（ジャンル検索、カロリー検索、味検索、食材検索）を行う（ステップＳ６）。更に、ホスト装置２は、検索処理とほぼ同時に登録ユーザのユーザＩＤに対して検索条件指定データを対応づけて保存し、履歴を貯蓄する。即ち、ホスト装置２は、ユーザデータベース構築プログラム２３６に基づく上述のユーザデータベース構築処理を行う。
　続いて、ホスト装置２は検索結果表示用データを携帯電話機６に送信して、携帯電話機６は検索結果表示画面（例えば、図１３に示す画面）を表示する（ステップＳ７）。そして、登録ユーザが、検索結果画面に表示される料理品の調理レシピを閲覧する旨を携帯電話機６を用いて入力して、閲覧要求の旨が携帯電話機６からホスト装置２に送信された場合（ステップＳ８：Ｙｅｓ）、ホスト装置２は検索された調理レシピデータを携帯電話機６に送信する処理を行う。即ち、ホスト装置２は、検索された調理レシピデータの閲覧用データ（見出しデータ１０４、料理品画像データ１０６、表示用ポイントデータ１０８、調理補法データ１１０、表示用材料データ１１２、音楽データ１１４）を携帯電話機６に送信する。そして、携帯電話機６は、送信された閲覧用データに基づき、見出し画面（図１４に一例を示す。）、ポイント画面（図１７に一例を示す。）、材料画面（図１８に一例を示す。）、及び作り方画面（図１９に一例を示す）を表示する。これにより、本システムは登録ユーザに調理レシピを提供し、登録ユーザは調理レシピを得ることができる（ステップＳ９）。なお、これら画面が表示されている際には、音楽データ１１４に基づく音楽が携帯電話機６から出力されている。そして、例えば、登録ユーザが、携帯電話機６を用いて再検索する旨をホスト装置２送信しなかった場合（ステップＳ１０：Ｎｏ）、本処理は終了する。」（段落【０１３７】〜【０１３９】）
（２）「
」
第６　当審拒絶理由について
１．当審拒絶理由の理由１（明確性要件違反）について
　当審で、請求項１の「カロリーを選ぶ画像」が何を意味するのか不明確であるとの拒絶理由を通知しているが、当該記載は平成３０年１２月１４日提出の手続補正書による補正で削除されているから、この拒絶理由は解消された。
２．当審拒絶理由の理由２．（１）（引用文献１を主引例とする進歩性欠如）について
（１）分割要件について
　当審拒絶理由で原出願（特願２０１０−１０９１７１号（その、公開公報が引用文献１））の出願当初の明細書、特許請求の範囲及び図面明細書（以下、「当初明細書」という。）に記載されていないとしていた「制御装置は、ユーザが選択した調理メニューに基づいて加熱調理できるようになっている」点については、平成３０年１２月１４日付け手続補正書による補正により削除され、当該補正後の本願発明１及び２は原出願の当初明細書に記載された範囲内のものとなった。
　よって、本願発明１及び２は分割要件を満たしている。
（２）判断
　上記（１）で記載したように、本願発明１及び２は分割要件を満たすものであるから、本願の出願日は特許法第４４条第２項の規定により、原出願の出願日である平成２２年５月１１日であるものとみなされる。
　したがって、引用文献１は、本願出願前に頒布された刊行物ではないから、本願発明と引用発明Ａを対比するまでもなく、引用文献１に基づいて本願発明の進歩性を否定することはできない。
３．当審拒絶理由の理由２．（２）（引用文献３を主引例とする進歩性欠如）について
（１）本件発明１について
ア．本願発明１と引用発明Ｂの対比
　引用発明Ｂの「オーブンレンジの本体」は、本願発明１の「ケーシング」に相当し、内部でマグネトロンや調理ヒータで調理を行うものであるから、「被加熱物を収容する加熱室」を備えていることは自明である。
　また、引用発明Ｂの「「肉じゃが」の調理レシピ」は、本願発明１の「被加熱物を調理するための調理メニュー」に相当するものであり、当該調理レシピを表示する「表示器」は、「表示部」に相当する。
　また、引用発明Ｂの「操作キー、ダイヤル」は、当該調理レシピを選択するものであるから、本願発明の「操作部」に相当する。
　また、引用発明Ｂの「マグネトロン」及び「調理ヒータ」は、被加熱物を加熱するものであり、本願発明１の「加熱部」を構成するものである。
　また、引用発明Ｂの「制御装置」は、調理レシピに関する標準データを記憶すると共に、予め備えた制御プログラムに基づき、表示器並びに「マグネトロン」及び「調理ヒータ」を制御しているのであるから、マグネトロン及び調理ヒータは調理レシピに基づいて制御されているものと認められ、「加熱部を調理メニューに基づいて制御する制御装置」に相当する。
　また、一般に加熱調理の開始には操作者の何らかの操作を伴うことからすれば、引用発明Ｂの「制御装置」は、当該操作に先立って、「検索条件に合致する調理メニューからユーザが選択した調理メニューの調理を開始する直前の状態にする」構成を備えているものと認められる。
　さらに、引用発明Ｂの調理器は、「マグネトロン」及び「調理ヒータ」により加熱調理を行うものであるから、本願発明１の「加熱調理器」に相当する。
　してみると、本願発明１と引用発明Ｂは、次の一致点及び相違点を有する。
＜一致点＞
　ケーシングと、上記ケーシング内に設けられ、被加熱物を収容する加熱室と、上記被加熱物を加熱調理するための調理メニューを表示する表示部と、上記調理メニューを選択するためにユーザが操作する操作部と、上記被加熱物を加熱するための加熱部と、上記加熱部を上記調理メニューに基づいて制御する制御装置と、を備え、上記制御装置は、検索条件に合致する調理メニューからユーザが選択した調理メニューの調理を開始する直前の状態とする加熱調理器。
＜相違点＞
　本件発明１は、表示部は、複数の調理メニューからユーザが所望する調理メニューを検索するための複数の検索条件選択画面を順次表示し、上記検索条件選択画面の一つは、料理のカロリー数を選択するための選択肢を有し、上記選択肢は、カロリー数の範囲を含み、かつ、上記カロリー数の範囲が２つ以上の複数段階に分かれており、上記表示部は、上記複数の検索条件選択画面で選択された検索条件に合致する調理メニューを表示するのに対し、引用発明Ｂは、表示部がそのような表示をするものではない点
イ．判断
　引用文献４には、複数の調理レシピ（調理メニュー）からユーザが所望する調理レシピ（調理メニュー）を検索するための複数の指定入力画面（検索条件選択画面）を順次表示し、上記指定入力画面（検索条件選択画面）の一つは、料理のカロリー数を選択するための選択肢を有し（図９参照。）、上記選択肢は、カロリー数の範囲を含み、かつ、上記カロリー数の範囲が２つ以上の複数段階に分かれており、上記表示装置（表示部）は、上記複数の指定入力画面（検索条件選択画面）で選択された検索条件に合致する調理レシピ（調理メニュー）を表示する情報端末装置の表示装置（表示部）が記載されている。
　しかし、引用発明Ｂは、調理レシピの選択は行っているものの、操作キー又はダイヤルの操作により選択するものであり、引用文献４に示される階層分けした検索条件を用いて選択するような大量の調理レシピデータから所望の調理レシピを選択するものとは認められない。
　よって、引用文献４に、ホストに記録された調理レシピからインターネットを経由して情報端末装置からユーザが所望する調理レシピを検索する手段として上記記載のような手段が開示されているとしても、引用発明Ｂは、操作キー又はダイヤルの操作により調理レシピを検索表示する調理器にすぎないから、引用文献４に示されるような手段を適用する必要性がなく、当該引用文献４記載の手段を引用発明Ｂに適用する動機付けが存在するとはいえない。
　よって、本願発明１は、当業者であっても引用発明Ｂ及び引用文献４に記載された事項に基づいて容易に発明をすることができたものであるということはできない。
　なお、当審拒絶理由で示した引用文献２にも上記相違点に係る構成は記載されていない。
（２）本件発明２について
　本願発明２は、本願発明１を引用して「操作部は、表示部に重なるタッチパネルである」という発明特定事項により減縮するものであるから、本願発明１と同じ理由により、当業者であっても、引用発明Ｂ並びに引用文献４及び引用文献２に記載された事項に基づいて容易に発明をすることができたものであるということはできない。　
４．小括
　以上のとおりであるから、当審拒絶理由の理由によっては、本件発明を拒絶することはできない。
第７　原査定についての判断
　原査定における引用文献Ａ記載の発明は、端末装置を用いて複数の加熱調理器を制御するものであり、端末装置の表示装置に調理メニューを表示するようにはなっているが、加熱調理器の表示部２３に調理メニューを表示するようにはなっていないから、当該調理メニューの選択にあたって、表示装置に引用文献Ｂ〜Ｄに記載されたような検索条件選択画面を順次表示する点を採用したとしても、加熱調理器に備えられた表示部に当該検索条件選択画面を表示することにはならない。
　よって、本願発明１，２を、当業者であっても、原査定における引用文献Ａ〜Ｄに基づいて容易に発明をすることができたとはいえない。
　したがって、原査定を維持することはできない。
第８　むすび
　以上のとおりであるから、当審拒絶理由及び原査定の理由によって、本願を拒絶することはできない。
　他に本願を拒絶すべき理由を発見しない。
　よって、結論のとおり審決する。